【手続補正書】
【提出日】平成18年11月20日(2006.11.20)
【手続補正１】
【補正対象書類名】明細書
【補正対象項目名】特許請求の範囲
【補正方法】変更
【補正の内容】
【特許請求の範囲】
【請求項１】
複数の場面で構成されるメディアコンテンツの各場面を表す複数のセグメントが記述されているデータ構造部と、前記セグメントの各々に割り当てられる属性情報である、場面の区切りを表す時間情報、場面の内容を表す少なくとも１つのキーワードによって表される観点、及び観点に基づいた各セグメントの重要度を表すスコアが記述されている属性部との両方を有する文脈内容記述データを入力する入力部と、
前記属性部に記述されている前記スコアと前記時間情報の少なくとも一方に基づいて、前記データ構造部からセグメントを選択する選択部と、
を備えたデータ処理装置。
【請求項２】
前記時間情報は、各場面の開始時間と終了時間を含む請求項1記載のデータ処理装置。
【請求項３】
前記時間情報は、各場面の開始時間と継続時間を含む請求項1記載のデータ処理装置。
【請求項４】
前記選択部は、前記属性部に記述されている前記スコアがある設定値より大きいセグメントを選択する請求項１に記載のデータ処理装置。
【請求項５】
前記選択部は、前記属性部に記述されている前記スコアと前記時間情報に基づいてセグメントを選択する際に、その選択されたセグメントの継続時間の和が設定時間または設定時間以下になるように選択する請求項２または３に記載のデータ処理装置。
【請求項６】
前記選択部は、前記属性部に記述されている前記観点及び前記スコアのうち少なくとも一方と、その時間情報に基づいてセグメントを選択する際に、その選択されたセグメントの継続時間の和が設定時間または設定時間以下になるように選択する請求項２または３に記載のデータ処理装置。
【請求項７】
前記選択部は、前記スコアが大きい順にセグメントを選択する請求項５または６に記載のデータ処理装置。
【請求項８】
前記データ構造部には、前記複数のセグメントが階層的に記述されている請求項１乃至７のいずれかに記載のデータ処理装置。
【請求項９】
前記属性部に、文脈内容に関する補助情報が記述された請求項１乃至５のいずれかに記載のデータ処理装置。
【請求項１０】
複数の場面で構成されるメディアコンテンツの各場面を表す複数のセグメントが記述されているデータ構造部と、前記セグメントの各々に割り当てられる属性情報である、場面の区切りを表す時間情報、場面を表す少なくとも１つのキーワードによって表される観点、及び前記観点に基づいた各セグメントの重要度を表すスコアが記述されている属性部との両方を有する文脈内容記述データを入力し、
前記属性部に記述されている前記スコアと前記時間情報の少なくとも一方に基づいて前記データ構造部からセグメントを選択するデータ処理方法。
【請求項１１】
前記時間情報は、各場面の開始時間と終了時間を含む請求項１０記載のデータ処理方法。
【請求項１２】
前記時間情報は、各場面の開始時間と継続時間を含む請求項１０記載のデータ処理方法。
【請求項１３】
前記セグメントを選択するステップでは、前記属性部に記述されている前記スコアと前記時間情報に基づいてセグメントを選択する際に、その選択されたセグメントの継続時間の和が設定時間または設定時間以下になるように選択する請求項１１または１２に記載のデータ処理方法。
【請求項１４】
前記セグメントを選択するステップでは、前記属性部に記述されている前記観点及び前記スコアのうち少なくとも一方と、その時間情報に基づいてセグメントを選択する際に、その選択されたセグメントの継続時間の和が設定時間または設定時間以下になるように選択する請求項１１または１２に記載のデータ処理方法。
【請求項１５】
前記セグメントを選択するステップでは、前記スコアが大きい順にセグメントを選択する請求項１３または１４に記載のデータ処理方法。
【請求項１６】
複数の場面で構成されるメディアコンテンツの各場面を表す複数のセグメントが記述されているデータ構造部と、前記セグメントの各々に割り当てられる属性情報である、場面の区切りを表す時間情報、場面を表す少なくとも１つのキーワードによって表される観点、及び前記観点に基づいた各セグメントの重要度を表すスコアが記述されている属性部との両方を有する文脈内容記述データを入力するステップと、
前記属性部に記述されている前記スコアと前記時間情報の少なくとも一方に基づいて前記データ構造部からセグメントを選択するステップとをコンピュータに実行させるためのプログラム。
【請求項１７】
請求項１６に記載のプログラムを記録したコンピュータ読み取り可能な記録媒体。
【請求項１８】
複数の場面で構成されるメディアコンテンツの各場面を表す複数のセグメントが記述されているデータ構造部と、前記セグメントの各々に割り当てられる属性情報である、場面の区切りを表す時間情報、場面の内容を表す少なくとも１つのキーワードによって表される観点、及び観点に基づいた各セグメントの重要度を表すスコアが記述されている属性部との両方を有するデータ構造。
【請求項１９】
複数の場面で構成されるメディアコンテンツの各場面を表すセグメントが記述されているデータ構造部と、前記セグメントの各々に割り当てられる属性情報である、前記メディアコンテンツの文脈内容に基づいた重要度を表すスコアが記述されている属性部との両方を有する文脈内容記述データを入力する入力部と、
前記スコアに基づいて少なくとも一つのセグメントを選択して出力する選択部と、
を備えるデータ処理装置。
【請求項２０】
前記メディアコンテンツの各場面は、場面の区切りに応じて時間によって区切られ、前記属性部には、前記属性情報として、前記場面の区切りを表す時間情報が記述されている請求項１９記載のデータ処理装置。
【請求項２１】
文脈内容記述データを入力する入力部と、セグメントを選択する選択部とを有するデータ処理装置のデータ処理方法であって、
前記入力部が、複数の場面で構成されるメディアコンテンツの各場面を表すセグメントが記述されているデータ構造部と、前記セグメントの各々に割り当てられる属性情報である、前記メディアコンテンツの文脈内容に基づいた重要度を表すスコアが記述されている属性部との両方を有する文脈内容記述データを入力し、
前記選択部が、前記スコアに基づいて少なくとも一つのセグメントを選択して出力するデータ処理方法。
【請求項２２】
複数の場面で構成されるメディアコンテンツの各場面を表すセグメントが記述されているデータ構造部と、前記セグメントの各々に割り当てられる属性情報である、前記メディアコンテンツの文脈内容に基づいた重要度を表すスコアが記述されている属性部との両方を有する文脈内容記述データを入力するステップと、前記スコアに基づいて少なくとも一つのセグメントを選択して出力するステップとをコンピュータに実行させるためのプログラム。
【請求項２３】
請求項２２に記載のプログラムを記録したコンピュータ読み取り可能な記憶媒体。
【請求項２４】
複数の場面で構成されるメディアコンテンツの各場面を表すセグメントが記述されているデータ構造部と、前記セグメントの各々に割り当てられる属性情報である、前記メディアコンテンツの文脈内容に基づいた重要度を表すスコアが記述されている属性部との両方を有するデータ構造。
【請求項２５】
複数の場面で構成されるメディアコンテンツの各場面を表すセグメントが記述されているデータ構造部と、前記セグメントの各々に割り当てられる属性情報である、場面を表す少なくとも１つのキーワードによって表される観点、及び各観点に基づいた前記セグメントの重要度を表すスコアが記述されている属性部との両方を有する文脈内容記述データを入力する入力部と、
前記観点及び前記スコアのうち少なくとも一方に基づいて少なくとも一つの前記セグメントを選択して出力する選択部と、
を備えるデータ処理装置。
【請求項２６】
前記メディアコンテンツの各場面は、場面の区切りに応じて時間によって区切られ、前記属性部には、前記属性情報として、前記場面の区切りを表す時間情報が記述されている請求項２５記載のデータ処理装置。
【請求項２７】
前記属性部は、観点と前記スコアとの複数組が１つのセグメントに前記属性情報として記述されている請求項２５または２６に記載のデータ処理装置。
【請求項２８】
文脈内容記述データを入力する入力部と、セグメントを選択する選択部とを有するデータ処理装置のデータ処理方法であって、
前記入力部が、複数の場面で構成されるメディアコンテンツの各場面を表すセグメントが記述されているデータ構造部と、前記セグメントの各々に割り当てられる属性情報である、場面を表す少なくとも１つのキーワードによって表される観点、及び各観点に基づいた前記セグメントの重要度を表すスコアが記述されている属性部との両方を有する文脈内容記述データを入力し、
前記選択部が、前記観点及び前記スコアのうち少なくとも一方に基づいて少なくとも一つの前記セグメントを選択して出力するデータ処理方法。
【請求項２９】
前記メディアコンテンツの各場面は、場面の区切りに応じて時間によって区切られ、前記属性部には、前記属性情報として、前記場面の区切りを表す時間情報が記述されている請求項２８記載のデータ処理方法。
【請求項３０】
複数の場面で構成されるメディアコンテンツの各場面を表すセグメントが記述されているデータ構造部と、前記セグメントの各々に割り当てられる属性情報である、場面を表す少なくとも１つのキーワードによって表される観点、及び各観点に基づいた前記セグメントの重要度を表すスコアが記述されている属性部との両方を有する文脈内容記述データを入力するステップと、前記観点及び前記スコアのうち少なくとも一方に基づいて少なくとも一つの前記セグメントを選択して出力するステップとをコンピュータに実行させるためのプログラム。
【請求項３１】
前記メディアコンテンツの各場面は、場面の区切りに応じて時間によって区切られ、前記属性部には、前記属性情報として、前記場面の区切りを表す時間情報が記述されている請求項３０記載のプログラム。
【請求項３２】
請求項３０または請求項３１に記載のプログラムを記録したコンピュータ読み取り可能な記録媒体。
【請求項３３】
複数の場面で構成されるメディアコンテンツの各場面を表すセグメントが記述されているデータ構造部と、前記セグメントの各々に割り当てられる属性情報である、場面を表す少なくとも１つのキーワードによって表される観点、及び各観点に基づいた前記セグメントの重要度を表すスコアが記述されている属性部との両方を有するデータ構造。